(57)【要約】【課題】確実に予約を実行することができる携帯端末を提供する。【解決手段】電池１１０の残量を監視する監視手段としての電池残量監視部１１３３，電源制御部１１１と、デジタル放送において放送される番組を受信する受信部１０１と、放送予定の番組を予約設定する入力部１０６と、該予約設定の際に、監視手段が監視している電池残量において予約設定の時間分の電力量が確保できる場合は当該電力量を確保して予約設定を実際に実行する予約として受け付ける制御部１１３とを設けたので、番組予約を実際に実行した場合に要する電力量を確保して予約するため確実に予約を実行できる。【選択図】図２
2006033661.tif 000002
【特許請求の範囲】
【請求項１】
電池を電源とする携帯端末であって、
前記電池の残量を監視する監視手段と、
デジタル放送において放送される番組を受信する受信手段と、
放送予定の番組を予約設定する設定手段と、
該予約設定の際に、前記監視手段が監視している電池残量において前記予約設定の時間分の電力量が確保できる場合は当該電力量を確保して予約設定を実際に実行する予約として受け付ける制御手段と、
を備えたことを特徴とする携帯端末。
【請求項２】
電池を電源とする携帯端末であって、
前記電池の残量を監視する監視手段と、
デジタル放送において放送される番組を受信する受信手段と、
放送予定の番組を予約設定する設定手段と、
該設定手段で設定した番組予約を保存する保存手段と、
前記監視手段が監視している電池残量に基づいて前記保存手段に保存している番組予約から電力量が確保できる時間分の番組予約を実際に実行する予約として受け付ける制御手段と、
を備えたことを特徴とする携帯端末。
【請求項３】
前記制御手段は、前記予約設定の際に、前記監視手段が監視する電池残量において前記予約設定の時間分の電力量を確保できない場合は当該番組の予約設定を受け付けないように制御する
ことを特徴とする請求項１に記載の携帯端末。
【請求項４】
表示手段を備え、
前記制御手段は、実際に実行する予約として電力量を確保して予約設定を受け付けている番組予約の一覧を前記表示手段に表示する
ことを特徴とする請求項１または請求項２に記載の携帯端末。
【請求項５】
前記制御手段は、前記電池の残量が前記確保した電力量近傍まで低下した場合、番組予約の実行に関わる以外の電力消費を抑止する
ことを特徴とする請求項１または請求項２に記載の携帯端末。
【請求項６】
表示手段を備え、
前記制御手段は、番組予約のために確保した電力量に関する表示を前記表示手段に表示する
ことを特徴とする請求項１または請求項２に記載の携帯端末。
【請求項７】
前記電池の残量を表示する表示手段を備え、
前記制御手段は、番組予約のために確保した電力量を除いて前記電池の残量を前記表示手段に表示する
ことを特徴とする請求項１または請求項２に記載の携帯端末。
【請求項８】
表示手段を備え、
前記制御手段は、番組予約のために確保した電力量を除いた前記電池の残量に基づいて視聴または記録可能時間を前記表示手段に表示する
ことを特徴とする請求項１または請求項２に記載の携帯端末。
【請求項９】
前記制御手段は、前記電池が充電されている場合、または充電状態から開放された際に、前記監視手段が監視している電池残量に基づいて前記保存手段に保存している番組予約から電力量が確保できる時間分の番組予約を実際に実行する予約として受け付ける
ことを特徴とする請求項２に記載の携帯端末。
【請求項１０】
前記設定手段は、当該番組の予約の繰り返し設定回数を設定することを可能にした
ことを特徴とする請求項２に記載の携帯端末。
【発明の詳細な説明】
【技術分野】
【０００１】
本発明は、例えば、デジタル放送が受信可能な携帯電話やＰＤＡ（Personal digital assistant）、専用受信機等の携帯端末に関する。特に電池により駆動される携帯端末に関する。
【背景技術】
【０００２】
近年、携帯電話機にテレビチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００３】
ところで、一般に、デジタル放送等を受信する機器は、放送される番組の視聴予約や録画予約を行うことができる。
一方、携帯電話等の携帯端末は、電池駆動であり、電池の容量は限られている。従って、携帯端末が予約機能を備えると、折角番組を予約しても、予約した番組を視聴している際に電池残量の減少により、番組を最後まで視聴することができないという問題点がある。
【０００４】
また、視聴中の電池切れを避けるためには視聴番組分の電源（電池の容量）を確保しておけばよいが、それまでの間、ユーザに携帯端末の使用を制限させてしまうことになる。
さらに毎日または毎週放送される番組を予約する場合は常に携帯端末の使用が制限されてしまうことになり、結果として予約機能を十分に活用できないという問題がある。
【０００５】
本発明は、かかる事情に鑑みてなされたものであり、その目的は、予約情報に応じた処理を行えるか否かを判断することができる携帯端末を提供することにある。
【課題を解決するための手段】
【０００６】
前記目的を達成するために、本発明の第１の観点の携帯端末は、電池を電源とする携帯端末であって、前記電池の残量を監視する監視手段と、デジタル放送において放送される番組を受信する受信手段と、放送予定の番組を予約設定する設定手段と、該予約設定の際に、前記監視手段が監視している電池残量において前記予約設定の時間分の電力量が確保できる場合は当該電力量を確保して予約設定を実際に実行する予約として受け付ける制御手段とを備える。
【０００７】
さらに、前記目的を達成するために、本発明の第２の観点の携帯端末は、電池を電源とする携帯端末であって、前記電池の残量を監視する監視手段と、デジタル放送において放送される番組を受信する受信手段と、放送予定の番組を予約設定する設定手段と、該設定手段で設定した番組予約を保存する保存手段と、前記監視手段が監視している電池残量に基づいて前記保存手段に保存している番組予約から電力量が確保できる時間分の番組予約を実際に実行する予約として受け付ける制御手段とを備える。
【発明の効果】
【０００８】
本発明によれば、番組予約を実際に実行した場合に要する電力量を確保して予約するため確実に予約を実行できる携帯端末を提供することができる。
【発明を実施するための最良の形態】
【０００９】
本実施形態に係る携帯端末１００は、例えばデジタル放送波を受信する機能や、番組予約を行う機能を有する携帯電話、ＰＤＡ（Personal digital assistant）、専用受信装機等の電池を電源とする携帯端末である。
【００１０】
本実施形態では携帯端末として携帯電話１００を説明する。
【００１１】
図１は、本発明に係る携帯電話の一実施形態の機能ブロック図である。図２は、図１に示した携帯電話の一具体例の全体図である。
【００１２】
本実施形態に係る携帯電話１００は、例えば図１に示すように、受信部１０１、スピーカ１０２、表示部１０３、計時部１０４、バイブレータ１０５、入力部１０６、送話器１０７、受話器１０８、通信部１０９、電池１１０、電源制御部１１１、メモリ１１２、および制御部１１３を有する。
【００１３】
受信部１０１は、例えば制御部１１３の制御により、予め規定された時刻に放送されるコンテンツデータや当該コンテンツデータを識別するための指標となる識別情報ＩＤを含む放送波を受信し、受信した信号をスピーカ１０２、表示部１０３、および制御部１１３等に出力する。
【００１４】
本実施形態では、受信部１０１は、例えば電子番組ガイド情報（ＥＰＧ：Electronic Program Guide）等が含まれる放送波を受信する。
また、ＥＰＧは、放送波だけではなく、通信ネットワーク網（ＷＷＷ：world wide web）を介してサーバ装置（情報処理装置）から取得することもできる。
ＥＰＧには、個々のコンテンツデータ（番組）を識別するための指標となる識別情報ＩＤが含まれている。
【００１５】
識別情報ＩＤは、例えばＡＲＩＢ  ＳＴＤ−Ｂ１０の番組配列情報についての規定されており、番組特定情報（ＰＳＩ：Program Specific Information）と呼ばれる放送番組関連テーブル（ＰＡＴ：Program Association Table）、放送番組マップテーブル（ＰＭＴ：Program Map Table）、ネットワーク情報テーブル（ＮＩＴ：Network Information Table）、限定受信テーブル（ＣＡＴ：Conditional Access Table）等の４つのテーブルから構成される。
本実施形態では、例えばこれらに含まれる放送番組番号識別と呼ばれる要素を使用する。
【００１６】
これらの情報は、番組を識別するＩＤも含めてMPEG-２ Systems（ITU−T H.222.0、ISO/IEC 13818-1）で規定されるセクション形式のデータ構造を用いて伝送され放送信号に含められる。
【００１７】
受信部１０１は、例えば図１に示すように、放送無線部１０１１、復調部１０１２、および復号部１０１３を有する。
放送無線部１０１１は、例えば高周波回路、同調回路、周波数変換回路等により構成され、アンテナＡＮＴ１で受信した放送波を中間周波信号に変換して復調部１０１２に出力する。
【００１８】
復調部１０１２は、例えば復調回路等により構成され、放送無線部１０１１から出力された信号に、予め規定された復調処理を施して、復号部１０１３に出力する。
【００１９】
復号部１０１３は、例えばデコーダ回路等により構成され、復調部１０１２から出力された信号に、予め規定されたデコード処理を施して、音声信号、画像信号、データ信号等を生成し、スピーカ１０２、表示部１０３、および制御部１１３等に出力する。
【００２０】
スピーカ１０２は、例えば制御部１１３の制御により、所定の音声信号、例えば受信部１０１から出力された音声信号や他の音声信号を基に発音を行う。
【００２１】
表示部１０３は、例えば制御部１１３の制御により、所定の画像信号、例えば受信部１０１から出力された画像信号や他の画像信号を基に画像表示を行う。例えば表示部１０３は、液晶ディスプレイ装置（ＬＣＤ）等の表示装置により構成される。
【００２２】
携帯電話１００の装置本体部１は、例えば図２に示すように、第１筐体部１１、および第２筐体部１２を有する。第１筐体部１１と第２筐体部１２は、折曲部１３により折り曲げ可能に接続されている。
表示部１０３は、例えば図２に示すように、装置本体部１の第１筐体部１１の中央部に設けられている。
【００２３】
計時部１０４は、例えば発振子による振動を基に計時を行い、計時する現時刻情報を制御部１１３に出力する。
バイブレータ１０５は、例えば制御部１１３の制御により、マナーモード時に装置全体を振動させることにより報知を行う。
【００２４】
入力部１０６は、受信部１０１が受信するコンテンツデータ（番組）の予約情報を設定する。例えば予約情報は、開始時刻、終了時刻、チャンネル情報等の情報を含む。
例えば、入力部１０６は、テンキーやキーボードやポインティングデバイス等により構成され、ユーザの操作に応じた信号を制御部１１３に出力する。
入力部１０６は、例えば図２に示すように、装置本体部１の第２筐体部１２の中央部に設けられている。
【００２５】
送話器１０７は、例えばマイクロフォン等により構成され、ユーザの音声に応じた電気信号を通信部１０９や制御部１１３に出力する。送話器１０７は、例えば図２に示すように、第２筐体部１２の下部に設けられている。
【００２６】
受話器１０８は、例えばスピーカ等により構成され、制御部１１３の制御により、通信部１０９から出力された音声信号や受信部１０１から出力された音声信号に応じた発音を行う。受話器１０８は、例えば図２に示すように、第１筐体部１１の上部に設けられている。
【００２７】
通信部１０９は、例えば制御部１１３の制御により、無線信号により基地局や通信機能を有する他の携帯端末と通信を行う。
【００２８】
通信部１０９は、例えば送話器１０７から入力された電気信号を予め規定された方式で無線信号に変換し、アンテナＡＮＴ２を介して出力する。また、通信部１０９は、アンテナＡＮＴ２で受信した無線信号に予め規定された方式で復調して音声信号、データ信号等を生成する。
【００２９】
通信部１０９は、例えば図１に示すように、分配・混合部１０９１、受信無線部１０９２、復調部１０９３、復号部１０９４、デジタル／アナログ（Ｄ／Ａ）変換部１０９５、アナログ／デジタル（Ａ／Ｄ）変換部１０９６、符号化部１０９７、変調部１０９８、および送信無線部１０９９を有する。
【００３０】
分配・混合部１０９１は、アンテナＡＮＴ２で受信した無線信号を高周波信号に変換して受信無線部１０９２に出力する。また、分配・混合部１０９１は、送信無線部１０９９から出力された高周波信号をアンテナＡＮＴ２に出力する。
【００３１】
受信無線部１０９２は、例えば同調回路等により構成され、分配・混合部１０９１から出力された高周波信号を中間周波信号に変換して復調部１０９３に出力する。
【００３２】
復調部１０９３は、例えば制御部１１３の制御により、受信無線部１０９２から出力された信号に、予め規定された復調処理を施し、生成したデータ列を復号部１０９４や制御部１１３に出力する。
【００３３】
復号部１０９４は、例えば復調部１０９３から出力されたデータ列に、予め規定された復号処理を施し、生成したデジタル信号をＤ／Ａ変換部１０９５に出力する。
【００３４】
Ｄ／Ａ変換部１０９５は、復号部１０９４から出力されたデジタル信号にデジタル／アナログ変換処理を施して音声信号を受話器１０８に出力する。
【００３５】
アナログ／デジタル（Ａ／Ｄ）変換部１０９６は、例えば送話器１０７から出力されたアナログ音声信号に、アナログ／デジタル信号変換処理を施し、生成したデジタル信号を符号化部１０９７に出力する。
【００３６】
符号化部１０９７は、Ａ／Ｄ変換部１０９６から出力されたデジタル信号に、例えば圧縮符号化処理を施して、変調部１０９８に出力する。
【００３７】
変調部１０９８は、例えば制御部１１３の制御により、符号化部１０９７から出力された信号や、制御部１１３から出力されたデータ信号に、予め規定された電波伝送に適した変調処理を施して、送信無線部１０９９に出力する。
【００３８】
送信無線部１０９９は、例えば周波数変換回路や高周波回路、増幅回路等により構成され、変調部１０９８から出力された信号を分配・混合部１０９１を介して、アンテナＡＮＴ２から無線信号として送信する。
【００３９】
電池（バッテリ）１１０は、例えば、装置の各構成要素に電力を供給する。例えば電池１１０は、充電および放電可能な２次電源や、バックアップ用電池により構成され、電源制御部１１１および制御部１１３の制御により装置全体に電力を供給する。
【００４０】
電源制御部１１１は、例えば制御部１１３の制御により、各構成要素の電力の供給を制御する。
また、電源制御部１１１は電池１１０の全電力容量のうち、残り電力量を示す残量情報を生成し、制御部１１３に出力する。つまり、電源制御部１１１は、電池１１０の残量を監視する。尚、電力量に限らず電池の残量を示すものであれば、電流でも電圧でもよい。
【００４１】
電源制御部１１１は、例えば制御部１１３から、受信部１０１をオフ状態からオン状態に切り換えさせる制御信号が出力されると、その制御信号に応じて電池１１０の電力を受信部１０１に供給して、受信部１０１をオン状態に切り換える。
また、電源制御部１１１は、制御部１１３から、受信部１０１をオン状態からオフ状態に切り換えさせる制御信号が出力されると、その制御信号に応じて受信部１０１への電力供給を抑制して、受信部１０１をオフ状態に切り換える。
【００４２】
また、通信部１０９への電力供給も同様である。
例えば、電源制御部１１１は、制御部１１３から、通信部１０９をオフ状態からオン状態に切り換えさせる制御信号が出力されると、その制御信号に応じて電池１１０の電力を通信部１０９に供給して、通信部１０９をオン状態に切り換える。
また、電源制御部１１１は、制御部１１３から、通信部１０９をオン状態からオフ状態に切り換えさせる制御信号が出力されると、その制御信号に応じて通信部１０９への電力供給を抑制して、通信部１０９をオフ状態に切り換える。
【００４３】
メモリ１１２は、制御部１１３の制御により、コンテンツデータや、電話帳データ、着信音データ、メールデータ、画像データ、初期データ、プログラム（ＰＲＧ）等を記録する。メモリ１１２は、例えばＲＡＭ（Random Access Memory）やＲＯＭ（Read Only Memory）や、ハードディスク等の記録装置により構成される。
【００４４】
プログラム（ＰＲＧ）は、本発明に係る機能を有し、制御部１１３により実行されることで本発明の機能を実現する。
【００４５】
制御部１１３は、装置全体を統括的に制御する。例えば制御部１１３は、メモリ１１２をワークスペースとして、プログラム（ＰＲＧ）を実行することにより、本発明の機能を実現する。
例えば、制御部１１３は、電源制御部１１１による残量情報に基づいて、入力部１０６により設定された予約情報に応じた処理を行えるか否かを判断し、当該判断に応じた処理を行う。
【００４６】
また、制御部１１３は、予約設定の際、残量情報に基づいて、予約設定した時間分の電力量があるか否かを判断し、予約設定の時間分の電力量が確保できる場合は当該電力量を確保して予約設定を実際に実行する予約として受け付ける。
【００４７】
また、制御部１１３は、予約を受け付けた場合は、電池残量のうち、予約情報に応じた処理に必要な電力量を確保するが、電池残量が当該必要な電力量近傍まで減少（低下）した場合に、番組予約の実行に関わる以外の処理（電力消費）を抑止する。
【００４８】
また、制御部１１３は、残量情報に基づいて視聴可能時間を演算し、当該演算結果の視聴可能時間を越えないように、入力部１０６により設定される／設定された予約情報を受け付ける。
【００４９】
制御部１１３は、残量情報に基づいて、予約受付されているコンテンツデータの一覧を示す一覧データを生成する。
【００５０】
また、制御部１１３は、残量情報および予約情報に基づいて、番組予約や視聴可能な時間に基づく電力量、または受け付けた予約を除いた電力量の両方または一方を示す表示を表示部１０３に行わせる。
【００５１】
また、制御部１１３は、残量情報に応じた視聴可能時間、番組予約可能時間、受け付けている番組予約時間を除いた時間のいずれかを示す表示を表示部１０３に行わせる。
【００５２】
また、制御部１１３は、入力部１０６により設定される／設定された予約情報と残量情報に基づいて、必要な電力量を確保できるか否かを示す報知を行う。
【００５３】
また、制御部１１３は、例えば電池１１０の充電時や充電状態から放電状態に変わった際（充電器から外した際）に再度、電源制御部１１１による残量情報に基づいて、予約の受け付けを判断し、当該判断に応じた処理を行う。
【００５４】
以下、制御部１１３の一具体例を図面を参照しながら説明する。
図３は、図１に示した携帯電話の制御部の一具体例の機能ブロック図である。
【００５５】
制御部１１３は、例えば図３に示すように、再生部１１３１、予約情報保持部１１３２、電池残量監視部１１３３、残量表示制御部１１３４、視聴予約管理部１１３５、および予約情報監視部１１３６を有する。
【００５６】
再生部１１３１は、受信部１０１から出力された信号に基づいて画像処理や音声処理を行い、表示部１０３に画像信号に応じた表示を行わせ、スピーカ１０２や受話器１０８に音声信号に応じた発音を行わせる。
【００５７】
予約情報保持部１１３２は、入力部１０６から設定された予約情報を記憶（保存）して保持する記憶部である。例えば予約情報保持部１１３２はメモリ１１２内に設けられてもよい。
【００５８】
電池残量監視部１１３３は、電池１１０の電池残量を監視し、電池１１０の残量情報を生成する。
例えば、電池残量監視部１１３３は、電源制御部１１１による信号に基づいて残量情報を生成し、残量表示制御部１１３４や視聴予約管理部１１３５に出力する。
【００５９】
残量表示制御部１１３４は、例えば電池残量監視部１１３３から出力された残量情報に基づいて、電池残量を示す表示を表示部１０３に行わせる。
【００６０】
また、残量表示制御部１１３４は、例えば残量情報および予約情報に基づいて、予約を実行するために（視聴や記録など）必要な電力量、または電池残量のうち、番組予約や視聴可能な時間に基づく電力量、または受け付けた予約を除いた電力量のいずれかを示す表示を表示部１０３に行わせてもよい。
【００６１】
残量表示制御部１１３４は、制御部１１３は、残量情報に応じた視聴可能時間、番組予約可能時間、または受け付けている番組予約時間を除いた時間のいずれかを示す表示を表示部１０３に行わせる。
【００６２】
視聴予約管理部１１３５は、例えばユーザの操作により入力部１０６から予約情報が入力された際、実際に当該予約を実行した場合に必要な電力量または時間を演算し、その電力量または時間が確保できる場合には、予約情報保持部１１３２に予約情報として受け付け、追加、保存する。また、保存できない場合は、受け付けずに保存のみ行ってもよい。
【００６３】
また、予約情報監視部１１３６は、予約情報保持部１１３２が保存している予約の中で受付をしている予約情報と、計時部１０４による現時刻情報とを比較し、例えば現時刻が予約開始時刻になると、再生部１１３１や受信部１０１の電源をオン状態に設定する。
【００６４】
図４は、図１に示した携帯電話の動作の一具体例を説明するためのフローチャートである。図４を参照しながら、携帯電話１００の動作の一具体例を、制御部１１３の動作を中心に説明する。
【００６５】
ステップＳＴ１において、入力部１０６により、放送予定の番組（予め規定された時刻に放送波により放送されるコンテンツデータ）の予約情報（例えば、チャンネル情報、時間、処理内容）が設定される。
【００６６】
ステップＳＴ２において、視聴予約管理部１１３５は、ステップＳＴ１により設定された予約情報を実際に実行した場合に要する時間分の電力量を算出して、電池残量監視部１１３３が生成する残量情報に基づいて、電池１１０の電池残量からこの電力量を確保できるか否かを判断する。
【００６７】
ステップＳＴ２の判断において、その電力量が確保できる場合には、電力量を確保するとともに、予約情報保持部１１３２に実際に実行する予約情報として受け付け、追加、保存する（ＳＴ３）。
【００６８】
また、予約情報監視部１１３６は、この受け付けた予約情報と、計時部１０４による現時刻情報とを比較し、例えば現時刻が予約開始時刻になるときに再生部１１３１や受信部１０１の電源をオン状態に設定し、予約情報に基づく処理を行わせる。
【００６９】
一方、ステップＳＴ２の判断において、その電力量が確保できないと判断した場合には、入力部１０６から入力された予約情報を受け付けず破棄して、その旨を示す報知を行う。例えば報知としては、表示部１０３に、受け付け不可を示す表示を行わせたり、スピーカ１０２にその旨を示す発音を行わせる（ＳＴ４）。
【００７０】
図５は、図１に示した携帯電話の動作の一具体例を説明するためのフローチャートである。図５を参照しながら、他の具体例の動作を、図４に示した動作との相違点を中心に説明する。
【００７１】
ステップＳＴ２の判断において、その電力量が確保できないと判断した場合には、受け付け不可を示す報知を行うが、入力部１０６から入力された予約情報は破棄せずに、電力量未確保の状態で予約情報保持部１１５に保持する（ＳＴ５）。この未確保の予約情報は電池が充電された場合などに再度受け付けの判断を行う。これにより一応の仮設定が可能になる。
【００７２】
次に、携帯電話１００の詳細な他の具体例を図面を参照しながら説明する。
図６は、図１に示した携帯電話の動作の他の具体例を説明するためのフローチャートである。以下に図６〜図１４を参照しながら説明する。
【００７３】
ステップＳＴ１０１において、例えばユーザは視聴したい番組（コンテンツデータ）の放送情報をＥＰＧ、新聞、雑誌、ニュース等で知る。番組の放送情報には放送日、放送開始時刻、終了時刻、チャンネル等を含む。
【００７４】
入力部１０６は、ユーザの操作に基づいて、所望の放送情報（予約情報）に応じた信号を制御部１１３に出力する。
予約情報保持部１１３２は、その信号に基づいて予約情報を記憶（保存）、保持を行う。
ここで予約情報の入力について説明する。
【００７５】
図７（Ａ）〜図７（Ｃ）は、図１に示した携帯電話の予約情報を説明するための図である。
制御部１１３は、予約情報入力時には、例えば表示部１０３に図７（Ａ）〜図７（Ｃ）に示すような表示を行う。
【００７６】
表示は、例えば図７（Ａ）〜（Ｃ）に示すように、装置の状態を表示する状態表示領域ＡＲ１、およびメイン領域ＡＲ２を有する。
状態表示領域ＡＲ１は、例えば電池残量を示す電池残量ピクトＰ１、受信状態を示す受信状態ピクトＰ２を有する。
【００７７】
電池残量ピクトＰ１は、例えば残量表示制御部１１３４が、電池残量監視部１１３３による残量情報に基づいて表示する、電池残量を示す表示である。
【００７８】
受信状態ピクトＰ２は、例えば受信部１０１や通信部１０９による、電波受信状態を示す表示である。
メイン領域ＡＲ２には、視聴予約入力時には、開始日情報Ｄ１、開始時刻情報Ｄ２、終了時刻情報Ｄ３、チャンネル情報Ｄ４、および繰り返し情報Ｄ５等を入力するための表示がされる。
【００７９】
開始日情報Ｄ１は、予約番組（コンテンツデータ）の放送開始日を示す情報である。
開始時刻情報Ｄ２は、予約番組の開始時刻を示す情報である。
終了時刻情報Ｄ３は、予約番組の終了時刻を示す情報である。
チャンネル情報Ｄ４は、予約番組のチャンネルを示す情報である。
繰り返し情報Ｄ５は、所望の予約番組が、例えば1回限りの放送か、毎週または毎日放送されるか等を示す情報である。また、この繰り返し情報Ｄ５は、視聴予約情報の有効期限を示す。
【００８０】
より具体的には、繰り返し情報Ｄ５は、所望の予約番組が例えば1回限りの放送の場合には図７（Ａ）に示すように”なし”を設定し、毎週水曜日の繰り返し予約を行う場合には図７（Ｂ）に示すように”毎週水曜日”を設定し、毎日繰り返し予約を行う場合には図７（Ｃ）に示すように”毎日”を設定する。
【００８１】
図８は、予約情報の一具体例を示す図である。
制御部１１３は、上述したように入力部１０６から入力される予約情報、例えば図８に示すような予約情報ＤＡを、予約情報保持部１１３２に記録する。
【００８２】
図９は、予約情報の一覧表示の一具体例を示す図である。
制御部１１３は、入力された予約情報ＤＡの一覧を、例えば図９に示すように、表示部１０３のメイン領域ＡＲ２に表示させる。
【００８３】
視聴予約情報の入力動作として、ユーザ自身が予約情報を全て入力する以外に、上述したようにＥＰＧをデジタル放送波により受信したり通信ネットワークを介してサーバ装置より受信したりして表示し、ユーザがその中から選択することで、予約情報を入力してもよい。
こうすることにより、ユーザは煩雑な操作を行うことなく、簡単に予約情報を入力部１０６から入力することができる。
【００８４】
また、予約情報ＤＡの一覧を表示する場合は、チャンネル情報と開始時刻情報に基づいてＥＰＧを参照して、その対応する番組名を表示してもよい。
【００８５】
図１０は、図３に示した予約情報保持部が保持する予約情報の一具体例を示す図である。
そして図６に示すステップＳＴ１０２において、制御部１１３は、入力部１０６から入力設定された予約情報ＤＡを、例えば図１０に示すように、テーブルＴとして、予約情報保持部１１３２に記憶（保存）する。
【００８６】
このテーブルＴは、複数の予約情報ＤＡを含む。詳細には、テーブルＴは、複数の予約情報ＤＡの開始日情報Ｄ１、繰り返し情報Ｄ５、チャンネル情報Ｄ４、開始時刻情報Ｄ２，終了時刻情報Ｄ３を関連付けて記憶（保存）する。
【００８７】
次に、ステップＳＴ１０３〜ＳＴ１０４において、記憶された視聴予約情報を基に、視聴予約管理部１１３５が、電池残量監視部１１３３による残量情報に基づいて、予約情報ＤＡに応じた処理、例えば視聴処理を行うために必要な時間分の電力量を確保できるか否かを演算し、その演算結果に基づいて受け付ける番組予約を判定し、確保できるまたはできない旨を示す報知を行う。例えば確保できる番組予約（受け付けた）のみ予約一覧に表示させたり、確保できた番組予約（受け付けた）と確保できなかった番組予約（受け付けなかった）をアイコンや色彩などで区別して表示部１０３に表示させたりする。
【００８８】
予約情報に応じた処理に必要な電力量の演算を説明する。
ステップＳＴ１０３において、視聴予約管理部１１３５は、例えば図１０に示すように予約情報保持部１１３２が保持する現在までに視聴予約された情報を蓄積する視聴予約情報テーブルＴを読み出し、そのテーブルＴを電池残量予約情報テーブルＴＢに変換する。
【００８９】
図１１は、電池残量予約情報テーブルＴＢの一具体例を示す図である。
電池残量予約情報テーブルＴＢは、例えば図１１に示すように、予約情報ＤＡの開始時刻情報Ｄ２と終了時刻情報Ｄ３の差から演算される視聴時間、つまり予約（確保）する時間（残量予約時間ともいう）ＴＢ１２と、開始日時情報ＴＢ１１とを対応付ける情報である。
【００９０】
視聴予約管理部１１３５は、この電池残量予約情報テーブルＴＢの開始日時情報ＴＢ１１を時間順にソートしている。
また繰り返し情報を基に、例えば２００４年１月７日に予約された番組が毎週予約されているとすると２００４年１月１４日、２１日・・・の年月日と対応する視聴予約情報も生成される。
【００９１】
図１２は、図６に示したテーブル変換処理の一具体例を示すフローチャートである。
視聴予約管理部１１３５は、予約受け付け判定時には、電池１１０の電池残量を超える予約は行わない。
例えば、ステップＳＴ１０４１において、視聴予約管理部１１３５は、電池残量監視部１１３３から電池１１０の残量情報を取得する。
【００９２】
ステップＳＴ１０４２において、視聴予約管理部１１３５は、取得した残量情報に基づいて、例えば再生部１１３１で再生可能な時間、つまりユーザが視聴可能な時間αを演算する。
【００９３】
ステップＳＴ１０４３において、視聴予約管理部１１３５は、視聴予約情報テーブルＴから取得するデータが１件も無くなったか否かを判別し、取得する情報がない場合にはテーブル変換処理を終了し、図６に示すステップＳＴ１０５の処理に進む。
【００９４】
一方、ステップＳＴ１０４３の判別において、視聴予約管理部１１３５は、取得するデータがあると判別した場合には、視聴予約情報テーブルＴから、１件の予約情報ＤＡを取得（読出）する（ＳＴ１０４４）。
【００９５】
ステップＳＴ１０４５において、視聴予約管理部１１３５は、予約情報ＤＡの開始時刻情報Ｄ２と終了時刻情報Ｄ３の差から演算される視聴時間δ（残量予約時間ＴＢ１２）を演算して、電池残量予約テーブルＴＢを生成する。
【００９６】
ステップＳＴ１０４６において、視聴予約管理部１１３５は、電池残量予約情報テーブルＴＢの開始日時が早い順に、視聴予約時間δ（ＴＢ１２）を累積して累積予約時間βを演算する。
【００９７】
ステップＳＴ１０４７において、視聴予約管理部１１３５は、累積予約情報βが、再生可能時間αを超えない開始日時の閾値を決定する。
【００９８】
視聴予約管理部１１３５は、この閾値に基づいて、それ以降（未来）の電池残量予約情報は生成しない。
つまり現在時刻からこの閾値までの予約情報に相当する番組を、ユーザが視聴できる。
【００９９】
詳細には、視聴予約管理部１１３５は、累積予約情報βが、再生可能時間α以上の場合には、テーブル変換処理を終了し、ステップＳＴ１０５の処理に進む。
【０１００】
一方、視聴予約管理部１１３５は、累積予約情報βが、再生可能時間αより小さい場合には、電池残量予約情報テーブルＴＢに、開始日時情報ＴＢ１１および残量予約時間ＴＢ１２（δ）を実際に実行する予約として受け付けて追加し、ステップＳＴ１０４３の処理に戻る。
残量表示制御部１１３４は、電池残量監視部１１３３から出力された電池残量情報に基づいて、電池残量を示すピクトＰ１を表示部１０３に表示させる。
【０１０１】
また、残量表示制御部１１３４は、発光ダイオード（ＬＥＤ：Light emitting diode）等に電池残量情報に応じた発光を行わせることにより、ユーザに報知を行ってもよい。
【０１０２】
そして、図６に示すステップＳＴ１０５において、予約情報監視部１１３６は、予約情報保持部１１３２から電池残量予約情報テーブルＴＢを読み出し、計時部１０４が計時する現日時情報および現時刻情報が、電池残量予約情報テーブルＴＢのうちの開始日情報、および時刻情報と一致するか否かを判別する。
【０１０３】
一致している場合には、予約情報監視部１１３６は、例えば再生部１１３１や受信部１０１をオフ状態の場合には、オン状態に設定して、受信部１０１および再生部１１３１の動作を開始させる（ＳＴ１０６，ＳＴ１０７）。
【０１０４】
ステップＳＴ１０８において、予約情報監視部１１３６は、予約情報ＤＡのうちのチャンネル情報に基づいて、受信部１０１のチャンネルを設定して、受信部１０１に所望の番組（コンテンツデータ）を受信させ、再生部１１３１に番組の画像や音声を再生させる。
【０１０５】
この際、再生部１１３１および受信部１０１が動作しており、視聴予約しているチャンネルと同じチャンネルが設定されている場合はそのままのチャンネルの番組を再生する。異なる場合にはその旨を報知した後、チャンネルを予約情報に応じて設定変更する。
【０１０６】
ステップＳＴ１０９において、視聴予約管理部１１３５は、累積予約時間βから、上述した再生処理時間を減算する。
ステップＳＴ１１０において、後述する機能制限処理を行い、ステップＳＴ１０５の処理に戻る。
【０１０７】
図１３は、図６に示した機能制限処理の動作を説明するためのフローチャートである。
ステップＳＴ１１０１において、視聴予約管理部１１３５は、電池残量情報から累積予約時間βに基づく電力量を減算して、待ち受け可能時間情報を生成する。
【０１０８】
詳細には、視聴予約管理部１１３５は、電池残量情報を基に所望の処理、例えば視聴処理を行うことが可能な時間から、累積予約時間βを減算して、残りの時間（時間分の電力）に基づき待ち受け可能時間情報を生成する。
【０１０９】
ステップＳＴ１１０２において、視聴予約管理部１１３５は、待ち受け時間情報が０より大きい場合には、待ち受け動作、例えば表示部１０３に待ち受け画面を表示させ、通信部１０９の待ち受け処理等の処理を行う（ＳＴ１１０３）。
【０１１０】
ステップＳＴ１１０２において、待ち受け時間情報が０以下の場合には、視聴予約管理部１１３５は、番組予約の実行に関わる以外の処理、詳細にはカメラ撮影機能や、ユーザアプリケーションの起動処理や待ち受け動作等の処理を抑止して、例えば図１４に示すように、表示部１０３にその旨を示す表示をさせて、ユーザに報知して電池１１０の電力消耗を低減させる（ＳＴ１１０４）。
【０１１１】
つまり視聴予約管理部１１３５は、報知の表示例として図１４に示すように、予約設定された時間分の電力が、電池１１０の残量情報よりも小さいために、その予約を解除するか否かを促す表示を表示部１０３に表示させて、ユーザに判断を促す。
【０１１２】
そして、視聴予約管理部１１３５は、入力部１０６から入力された、解除または解除を行わない旨を示す信号に応じた処理を行う。
【０１１３】
図１５（Ａ），（Ｂ）は、本発明に係る携帯電話の他の実施形態を説明するための図である。
例えば図７（Ｂ）に示すように、１つの視聴予約で毎週同じ番組を予約する場合、上述した実施形態では、電池１１０の電池残量から、毎週、予約情報に応じた処理に必要な電力量を確保するために、その他の処理に必要な電力量を確保できない。
【０１１４】
このため、例えば図１５（Ａ）に示すように、視聴予約設定時に、その番組を視聴する回数を示す回数情報Ｄ６を設定する。この回数情報Ｄ６は、例えば図１５（Ｂ）に示すように、回数情報を設定するためのプルダウンメニュー（Ｐｒ）を設けてもよい。
このように電力量を確保する回数を制限することで、装置の視聴処理以外の処理を行うための電力量に余裕ができる。
このプルダウンメニュー（Ｐｒ）は固定された数値の一覧でも良いが、現在の電池残量を基に算出された時間から予約可能な最大回数を示してもよい。
また、図１５（Ａ），（Ｂ）に示すように、電池残量を基に算出された時間ＰＴｍを示す表示を行ってもよい。
【０１１５】
図１６は、本発明に係る携帯電話の回数情報の他の具体例を示す図である。
また、図１６に示すように、予約情報の一覧を表示部１０３に表示する際に、予約情報に関連付けて、回数情報を示すアイコンＩＤ６を表示させてもよい。
【０１１６】
ユーザによる操作指示により、読み出して表示することで、現在の電池残量で、どの日時までの番組を視聴できるかを報知することができる。
【０１１７】
図１７（Ａ）〜（Ｄ）は、残量表示の他の具体例を示す図である。図１７（Ａ）は、残量表示の一具体例を示す図であり、図１７（Ｂ）〜（Ｄ）は図１７（Ａ）の残量ピクトの拡大図である。
【０１１８】
また、残量表示制御部１１３４は、全電池残量から、確保している電池残量を差し引いた待ち受け可能時間を、例えば図１７（Ａ）に示すように電池残量ピクトＰ１に表示する。
【０１１９】
例えば残量表示制御部１１３４は、図１７（Ａ）に示すように、例えば残量情報および予約情報に基づいて、番組予約や視聴予約可能な時間に基づく電力量、または受け付けた予約を除いた電力量の両方または一方を示す表示を表示部１０３に表示させる。
【０１２０】
詳細には、図１７（Ｂ）に示すように、電池残量ピクトＰ１は、番組予約や視聴予約可能な時間に基づく電力量を示す表示部Ｐ１１、および受け付けた予約を除いた電力量を示す表示部Ｐ１２とを有する。
【０１２１】
上述したように表示部Ｐ１１は視聴や予約可能時間に相当し、表示部Ｐ１２は待ち受け可能時間に相当する。
【０１２２】
電池残量ピクトＰ１は、例えば図１７（Ｂ）に示した状態から、電池残量が減少すると、図１７（Ｃ）に示すように、表示部Ｐ１２に示す電力量（待ち受け可能時間）が減少する。
【０１２３】
また、予約情報が受け付けされた後や、ユーザの操作で視聴や番組記録を行った後は、図１７（Ｄ）に示すように、表示部Ｐ１１に示す電力量が減少する。
【０１２４】
上述したように電池残量ピクトＰ１を表示することで、ユーザは視聴や番組記録のための電池残量を気にせずとも、他の機能を使うことができる。
つまり、予約設定後は、表示部Ｐ１２に、予約受付した以外の、電池残量をユーザに報知することができる。
【０１２５】
図１８は、視聴予約情報テーブルの他の具体例を示す図である。図１９は、図１８に対応する電池残量予約情報テーブルを示す図である。
また、図１８に示すように、電池予約回数という属性情報（回数情報）Ｄ６を設けることで、例えば図１９に示すように、電池残量予約情報テーブルＴＢは、予約情報に応じた処理に必要な電力量に、回数情報Ｄ６を積算した電力量を確保する。ここで図１９に示すように確保した電力量に相当する、残量予約時間を示している。
【０１２６】
また、上述したように、新たに追加される視聴予約情報も含めて全ての視聴予約情報を基に、電池残量予約情報テーブルＴＢを生成しているので、できる限り全ての視聴予約された番組を視聴できるように、電池１１０の電池残量から処理に必要な電力量を確保している。
【０１２７】
他の具体例では、例えば視聴予約される番組が１回のみの場合には、予約時に視聴予約情報を含めずに、それまで予約された情報を基に電池残量予約情報テーブルＴを生成し、視聴可能な時間αと累積予約時間βの差から新たに予約された番組が視聴可能かどうかを報知することで、ユーザは視聴予約の段階で視聴可能かどうかの判断ができる。
【０１２８】
また、装置を充電器と接続して電池１１０を充電した場合には、電池残量は増加するため、電池残量予約情報テーブルを更新する必要がある。更新のタイミングは充電器と接続または充電器と切り離した時に行えばよい。
【０１２９】
つまり、制御部１１３は、上記更新のタイミングで、電池残量監視部１１３３による残量情報に基づいて、予約情報保持部１１３２が保持している予約情報の受け付けを判断し、当該判断に応じた処理を行う。
【０１３０】
また上述した実施例は主に視聴の予約について例示したが、番組記録（録画、録音）の予約も同様に行うことができる。
【０１３１】
以上、説明したように、電池１１０の残量を監視する監視手段としての電池残量監視部１１３３，電源制御部１１１と、デジタル放送において放送される番組を受信する受信部１０１と、放送予定の番組を予約設定する入力部１０６と、該予約設定の際に、監視手段が監視している電池残量において予約設定の時間分の電力量が確保できる場合は当該電力量を確保して予約設定を実際に実行する予約として受け付ける制御部１１３とを設けたので、番組予約を実際に実行した場合に要する電力量を確保して予約するため確実に予約を実行できる。又、予約情報に応じた処理を行えるか否かを判断することができる。
【０１３２】
また、制御部１１３は、電池残量監視部１１３３による残量情報に基づいて、予約設定された時間分の電力があるか否かを判断し、当該判断に応じた処理、例えば予約可能な場合には、予約情報に応じた電力を確保するので、確実に予約情報に応じた処理を行うことができる。
つまり、予約設定時に、予約情報に応じた処理を行うために必要な電力量を、電池残量から確保することで、例えばユーザが番組を視聴中に、電池残量の減少による視聴中断を防止することができる。
【０１３３】
また、制御部１１３は、電池残量のうち、予約情報に応じた処理に必要な電力量を確保し、電池残量が当該必要な電力量まで減少した場合に、番組予約の実行に関わる以外の処理を抑止するので、より確実に予約情報に応じた処理を行うことができる。
【０１３４】
また、制御部１１３は、残量情報に基づいて視聴可能時間を演算し表示するので、ユーザは、当該演算結果の視聴可能時間を越えないように、入力部１０６による予約情報を設定することができる。電池残量に応じて確実に予約情報を設定することができる。
【０１３５】
また、制御部１１３は、残量情報および予約情報に基づいて、番組予約や視聴可能な時間に基づく電力量、または受け付けた予約を除いた電力量の両方または一方を示す表示を表示部１０３に行わせる（報知することができる）ので、ユーザは詳細な電池残量を知ることが出来る。
【０１３６】
また、制御部１１３は、残量情報に応じた視聴可能時間、番組予約や視聴可能な時間、または受け付けている番組予約時間を除いた時間のいずれかを示す表示を表示部１０３に行わせる（報知することができる）ので、ユーザは、時間単位で上記可能な時間やその他動作時間を知ることが出来る。
【０１３７】
また、制御部１１３は、予約情報、および残量情報に基づいて、当該予約情報に応じた処理に必要な電力量を確保できるか否かを示す報知を行うので、確実に予約情報を設定することができる。
【０１３８】
また予約情報を設定する際に、視聴や記録するために必要な電池残量を確保できない場合、例えばユーザに予約の段階で視聴できないために、電池１１０の充電を促すことができる。
【０１３９】
また、電池の充電動作に応じて、電池残量監視部１１３３による残量情報に基づいて、予約情報の受け付けを判断し、当該判断に応じた処理を行うので、充電による電池１１０の電池残量が増加した場合であっても、正確に本発明に係る処理を行うことができる。
【０１４０】
また、例えば毎週放送される番組のように、繰り返し同じ曜日、時間帯およびチャンネルの番組を視聴予約する場合でも、電池残量を確保することができる。
【０１４１】
なお、本発明は本実施形態に限られるものではなく、任意好適な改変が可能である。
例えば、上述した携帯電話１００の構成は上述した構成に限られるものではない。
また、プログラム（ＰＲＧ）は、通信ネットワークを介してダウンロードされてもよい。
また、制御部は、本発明に係る機能を有するハードウェアの回路により実現されてもよい。
【図面の簡単な説明】
【０１４２】
【図１】本発明に係る携帯電話の一実施形態の機能ブロック図である。
【図２】図１に示した携帯電話の一具体例の全体図である。
【図３】図１に示した携帯電話の制御部の一具体例の機能ブロック図である。
【図４】図１に示した携帯電話の動作の一具体例を説明するためのフローチャートである。
【図５】図１に示した携帯電話の動作の一具体例を説明するためのフローチャートである。
【図６】図１に示した携帯電話の動作の一具体例を説明するためのフローチャートである。
【図７】（Ａ）〜（Ｃ）は、図１に示した携帯電話の予約情報を説明するための図である。
【図８】予約情報の一具体例を示す図である。
【図９】予約情報の一覧表示の一具体例を示す図である。
【図１０】図３に示した予約情報保持部１１３２が保持する予約情報の一具体例を示す図である。
【図１１】電池残量予約情報テーブルＴＢの一具体例を示す図である。
【図１２】図６に示したテーブル変換処理の一具体例を示すフローチャートである。
【図１３】図６に示した機能制限処理の動作を説明するためのフローチャートである。
【図１４】図１に示す携帯電話が表示する画像の一具体例を示す図である。
【図１５】（Ａ），（Ｂ）は、本発明に係る携帯電話の他の実施形態を説明するための図である。
【図１６】本発明に係る携帯電話の回数情報の他の具体例を示す図である。
【図１７】（Ａ）〜（Ｄ）は、残量表示の他の具体例を示す図である。（Ａ）は、残量表示の一具体例を示す図であり、（Ｂ）〜（Ｄ）は（Ａ）の残量ピクトの拡大図である。
【図１８】視聴予約情報テーブルの他の具体例を示す図である。
【図１９】図１８に対応する電池残量予約情報テーブルを示す図である。
【符号の説明】
【０１４３】
１００…携帯電話、１０１…受信部、１０２…スピーカ、１０３…表示部、１０４…計時部、１０５…バイブレータ、１０６…入力部、１０７…送話器、１０８…受話器、１０９…通信部、１１０…電池、１１１…電源制御部、１１２…メモリ、１１３…制御部、１０１１…放送無線部、１０１２…復調部、１０１３…復号部、１０９１…分配・混合部、１０９２…受信無線部、１０９３…復調部、１０９４…復号部、１０９５…デジタル／アナログ（Ｄ／Ａ）変換部、１０９６…アナログ／デジタル（Ａ／Ｄ）変換部、１０９７…符号化部、１０９８…変調部、１０９９…送信無線部、１１３１…再生部、１１３２…予約情報保持部、１１３３…電池残量監視部、１１３４…残量表示制御部、１１３５…視聴予約管理部、１１３６…予約情報監視部。
【図１】
2006033661.tif 000003
【図２】
2006033661.tif 000004
【図３】
2006033661.tif 000005
【図４】
2006033661.tif 000006
【図５】
2006033661.tif 000007
【図６】
2006033661.tif 000008
【図７】
2006033661.tif 000009
【図８】
2006033661.tif 000010
【図９】
2006033661.tif 000011
【図１０】
2006033661.tif 000012
【図１１】
2006033661.tif 000013
【図１２】
2006033661.tif 000014
【図１３】
2006033661.tif 000015
【図１４】
2006033661.tif 000016
【図１５】
2006033661.tif 000017
【図１６】
2006033661.tif 000018
【図１７】
2006033661.tif 000019
【図１８】
2006033661.tif 000020
【図１９】
2006033661.tif 000021